(57)【要約】【課題】  間伐材を利用して素朴で自然観溢れるフェンスを提供する。【解決手段】  ブロック塀に形成された上端から凹陥する切欠窓を塞ぐフェンスであり、間伐材の両端にほぞを形成し、このほぞを切欠窓に接するコンクリートブロックの端面に形成されたほぞ穴溝に挿入して間伐材を渡し掛けるとともに、コンクリートブロックの端面から突出させた受金で支持したものを適当間隔をあけて何段かに重ねたことを特徴とするブロック塀のフェンス。【選択図】  【図１】
0003110364.tif 000002
【実用新案登録請求の範囲】
【請求項１】
ブロック塀に形成された上端から凹陥する切欠窓を塞ぐフェンスであり、間伐材の両端にほぞを形成し、このほぞを切欠窓に接するコンクリートブロックの端面に形成されたほぞ穴溝に挿入して間伐材を渡し掛けるとともに、コンクリートブロックの端面から突出させた受金で支持したものを適当間隔をあけて何段かに重ねたことを特徴とするブロック塀のフェンス。
【請求項２】
ブロック塀の上方に張られるフェンスであり、間伐材の両端にほぞを形成し、このほぞをコンクリートブロックの上面から起立させた支柱に形成されたほぞ穴溝に挿入して間伐材を渡し掛けるとともに、支柱端面から突出させた受金で保持したものを適当間隔をあけて何段かに重ねたことを特徴とするブロック塀のフェンス。
【請求項３】
ほぞ穴溝の幅よりも小さい径の間伐材をそのままほぞ穴溝に渡し掛ける請求項１又は２
【考案の詳細な説明】
【技術分野】
【０００１】
本考案は、ブロック塀のフェンスに関するものである。
【背景技術】
【０００２】
ブロック塀を構築する際、所定高さまでコンクリートブロック（以下、ブロック）だけを積んだものは味気ないとともに、風通しや見通しも悪い。このため、ブロックを途中まで積み、その上にフェンスを張ったり、ブロックの途中に上端から凹陥する切欠窓を設け、この窓の部分をフェンスで塞いだりすることがある（特許文献１）。この場合のフェンスは、アルミの形材等を用いているが、画一的であって、面白みがない。
【特許文献１】特開２００１−９０３９７号公報
【考案の開示】
【考案が解決しようとする課題】
【０００３】
本考案は、最近、用途の拡大が求められている間伐材を用いてこのフェンスを構築できるようにして素朴で自然感溢れるフェンスが構築できるようにしたものである。
【課題を解決するための手段】
【０００４】
以上の課題の下、本考案は、請求項１に記載した、ブロック塀に形成された上面から凹陥する切欠窓を塞ぐフェンスであり、間伐材の両端にほぞを形成し、このほぞを切欠窓に接するコンクリートブロックの端面に形成されたほぞ穴溝に挿入して間伐材を渡し掛けるとともに、コンクリートブロックの端面から突出させた受金で支持したものを適当間隔をあけて何段かに重ねたことを特徴とするブロック塀のフェンスを提供したものである。
【０００５】
また、本考案は、請求項２に記載した、ブロック塀の上方に張られるフェンスであり、間伐材の両端にほぞを形成し、このほぞをコンクリートブロックの上面から起立させた支柱に形成されたほぞ穴溝に挿入して間伐材を渡し掛けるとともに、支柱端面から突出させた受金で保持したものを適当間隔をあけて何段かに重ねたことを特徴とするブロック塀のフェンスを提供したものである。
【考案の効果】
【０００６】
請求項１のフェンスは切欠窓を塞ぐものであり、請求項２のフェンスはブロック塀の上方に継ぎ足すものであるが、いずれも、間伐材で構成されるから、自然感に溢れたものになるし、アルミの形材等よりも安くできる。また、間伐材の取付けは、端にほぞを形成するだけであるし、ブロック側は、ほぞ穴溝を形成すればよいのであるから、端面開放形ブロックがそのまま使用できるとともに、受金だけをブロックから突設しておけばよいから、取付けも簡単手ある。さらに、上方継ぎ足しタイプのものであれば、ほぞ穴溝が形成された形材等を選択して、これに受金を取り付けるだけでよい。
【考案を実施するための最良の形態】
【０００７】
以下、本考案の実施の形態を図面を参照して説明する。図１は切欠窓を塞ぐフェンスの正面図、図２は平面図であるが、このタイプのブロック塀は、ブロック１を縦横に積んで塀を構成するものであるが、その適所に、上端から凹陥する切欠窓２が形成されたものである。本考案のフェンスは、この切欠窓２を塞ぐものであり、間伐材３で構成される。
【０００８】
具体的には、間伐材３の両端にほぞ４を形成し、切欠窓２に接するブロック１の端面にほぞ４が挿入できるほぞ穴を上下に連ねたほぞ穴溝５を形成し、ほぞ４をほぞ穴溝に挿入して間伐材３を何段かにわたって左右に渡し掛ける。この場合、普通形と称されるブロック１を使用すると、その端面にフェイスセル間の空間６が開放されているから、ほぞ穴溝５はこの空間６をそのまま利用できる。
【０００９】
ほぞ４の幅は空間６よりも狭いものにする必要がある。しかし、形状については、平面視で矩形が一般的であるが、他の形状（例えば円形）のものであってもよい。さらに、丈については制限はない（間伐材３と同じてもよいし、小さくてもよい）。一方、ほぞ４は必ずしも必要ない。ほぞ穴溝５の幅よりも小さい径の間伐材３を使用すれば、そのまま使用でき、何ら工作を施す必要はない。もちろん、間伐材３はそのままでもよいし、適当に加工したものでもよい。
【００１０】
間伐材３を切欠窓２のブロック１間に渡し掛けたとき、各間伐材２間の上下には適当な間隔７が保たれる方が好ましいから、その位置決めを図るために、間伐材３を下から受ける受金８をブロック１の端面から出しておく。この受金８は、ブロック１のウェブセル等にねじ込むか、埋入しておけばよい。なお、受金８の形状等は問わないし、また、受金８と間伐材３とはネジ等で固定するのが適するが、単に置くだけであってもよい。
【００１１】
図３は継ぎ足し形のフェンスの正面図、図４は平面図であるが、この場合は、間伐材３を保持するブロック１が存在しないから、ブロック１の上面から支柱９を立ててその代わりとする。支柱９の材質等については問わないが、一般的にはアルミの形材等が適するであろう。ただし、これを間伐材としてもよいし、こうすると、より用途が増える。
【００１２】
支柱９による間伐材３の保持は上記と同じであり、間伐材３の端面にほぞ４を形成するとともに（形成しなくてもよい場合があるのは上記と同じ）、支柱９には、ほぞ４を挿入できるほぞ穴溝５を形成し（アルミの形材を使用すれば、予め形成されたものを使用できる）、これから受金８を突設しておくのも同じである。
【図面の簡単な説明】
【００１３】
【図１】切欠窓を塞ぐフェンスの正面図である。
【図２】切欠窓を塞ぐフェンスの平面図である。
【図３】継ぎ足し形のフェンスの正面図である。
【図４】継ぎ足し形のフェンスの平面図である。
【符号の説明】
【００１４】
１    コンクリートブロック
２    切欠窓
３    間伐材
４    ほぞ
５    ほぞ穴溝
６    空間
７    間隔
８    受金
９    支柱
【図１】
0003110364.tif 000003
【図２】
0003110364.tif 000004
【図３】
0003110364.tif 000005
【図４】
0003110364.tif 000006
【手続補正書】
【提出日】平成17年3月2日(2005.3.2)
【手続補正１】
【補正対象書類名】実用新案登録請求の範囲
【補正対象項目名】全文
【補正方法】変更
【補正の内容】
【実用新案登録請求の範囲】
【請求項１】
ブロック塀に形成された上面から凹陥する切欠窓を塞ぐフェンスであり、間伐材の両端にほぞを形成し、このほぞを切欠窓に接するコンクリートブロックの端面に形成されたほぞ穴溝に挿入して間伐材を渡し掛けるとともに、コンクリートブロックの端面から突出させた受金で支持したものを適当間隔をあけて何段かに重ねたことを特徴とするブロック塀のフェンス
【請求項２】
ブロック塀の上方に張られるフェンスであり、間伐材の両端にほぞを形成し、このほぞをコンクリートブロックの上面から起立させた支柱に形成されたほぞ穴溝に挿入して間伐材を渡し掛けるとともに、支柱端面から突出させた受金で保持したものを適当間隔をあけて何段かに重ねたことを特徴とするブロック塀のフェンス
【請求項３】
ほぞ穴溝の幅よりも小さい径の間伐材をそのままほぞ穴に渡し掛ける請求項１又は２に記載のブロック塀のフェンス。